【事件の表示】
　特許第２８２７１１３号「パチンコ機」の特許に対する特許異議の申立てについて、次のとおり決定する。
【結　論】
　訂正を認める。
　特許第２８２７１１３号の特許を維持する。
【理　由】
１．手続の経緯
　本件特許第２８２７１１３号に係る発明についての出願は、昭和６２年５月２８日に実用新案登録出願した実願昭６２−７９９９０号の一部を分割出願して実願平３−４６７５１号とし、当該分割出願を変更して特願平３−１５０９０７号とし、当該出願の一部を分割して特願平８−８２０３３号とし、さらに、当該出願の一部を平成９年１月２７日に分割出願し、平成１０年９月１８日にその発明について特許の設定登録がなされた後、その特許について特許異議申立人細江裕実より特許異議の申立てがなされ、取消理由通知がなされ、その指定期間内である平成１２年４月１８日に訂正請求がなされたものである。
２．訂正の適否についての判断
（１）訂正の要旨
訂正事項ａ
　特許請求の範囲に係る記載、
「【請求項１】プログラムを記憶したＲＯＭを備えてマイクロコンビュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段を介して前記表示制御回路に供給するように構成したことを特徴とするパチンコ機。
　【請求項２】請求項１に記載のパチンコ機において、回路機能がパワーオンリセット信号であることを特徴とするパチンコ機。
　【請求項３】請求項１に記載のパチンコ機において、回路機能がインターバル割込信号であることを特徴とするパチンコ機。
　【請求項４】請求項１に記載のパチンコ機において、回路機能が電源であることを特徴とするパチンコ機。
　【請求項５】請求項１に記載のパチンコ機において、回路機能が表示制御データであることを特徴とするパチンコ機。
　【請求項６】請求項１に記載のパチンコ機において、パワーオンリセット信号、インターバル割込信号、電源、または表示制御データの少なくとも一つをメイン制御回路と表示制御回路とで共通使用することを特徴とするパチンコ機。」
を、
「【請求項１】プログラムを記憶したＲＯＭを備えてマイクロコンビュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段としての外部接続端子を介して前記表示制御回路に供給するように構成したことを特徴とするパチンコ機。
　【請求項２】請求項１に記載のパチンコ機において、回路機能がパワーオンリセット信号であることを特徴とするパチンコ機。
　【請求項３】請求項１に記載のパチンコ機において、回路機能がインターバル割込信号であることを特徴とするパチンコ機。
　【請求項４】請求項１に記載のパチンコ機において、回路機能が電源であることを特徴とするパチンコ機。
　【請求項５】請求項１に記載のパチンコ機において、回路機能が表示制御データであることを特徴とするパチンコ機。
　【請求項６】請求項１に記載のパチンコ機において、パワーオンリセット信号、インターバル割込信号、電源、または表示制御データの少なくとも一つをメイン制御回路と表示制御回路とで共通使用することを特徴とするパチンコ機。」
と訂正する。
訂正事項ｂ
　明細書の【０００４】の項、
　「【課題を解決するための手段】
　上記目的を達成するため本発明は、プログラムを記憶したＲＯＭを備えてマイクロコンピュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段を介して前記表示制御回路に供給するように構成したものである。」を、
「【課題を解決するための手段】
　上記目的を達成するため本発明は、プログラムを記憶したＲＯＭを備えてマイクロコンピュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段としての外部接続端子を介して前記表示制御回路に供給するように構成したものである。」と訂正する。
訂正事項ｃ
　明細書の【００２２】の項、
「【発明の効果】
　本発明は表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段を介して前記表示制御回路に供給するように構成したので、メイン制御回路の負担を軽減させて表示装置における表示を高速化することができるばかりではなく、表示装置の表示制御回路の簡略化が可能になって、表示装置のコンパクト化が可能である。」を、
「【発明の効果】
　本発明は表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段としての外部接続端子を介して前記表示制御回路に供給するように構成したので、メイン制御回路の負担を軽減させて表示装置における表示を高速化することができるばかりではなく、表示装置の表示制御回路の簡略化が可能になって、表示装置のコンパクト化が可能である。」と訂正する。
（２）訂正の目的の適否、新規事項の有無及び拡張・変更の存否
訂正事項ａについて
　特許明細書の段落番号【０００９】に、「また、第２基板３の一縁には外部接続端子１４を設けて、この外部接続端子１４を介してパチンコ機１５のメイン制御回路となる制御装置１６に接続可能とする。即ち、前記表示制御回路とメイン制御回路とを電気的接続手段を介して接続する。」と、記載されている。
　したがって、上記訂正事項ａは、願書に添付した明細書又は図面に記載した事項の範囲内のものであり、新規事項ではなく、実質上特許請求の範囲を拡張又は変更するものではなく、特許請求の範囲の減縮を目的とするものである。
訂正事項ｂ、ｃは、訂正事項ａによる訂正に伴って訂正後の特許請求の範囲の記載と発明の詳細な説明の記載との整合を図るためのものであり、明りょうでない記載の釈明を目的とするものである。
（３）独立特許要件の判断
　訂正後の発明の要旨は、訂正請求書に添付された訂正明細書及び図面の記載からみて、訂正後の特許請求の範囲の請求項１に記載された事項により特定される次のとおりのものと認める。
「【請求項１】プログラムを記憶したＲＯＭを備えてマイクロコンビュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段としての外部接続端子を介して前記表示制御回路に供給するように構成したことを特徴とするパチンコ機。」（以下、「本件発明」という。）
（引用例）
　当審が通知した取消理由において引用した各引用例には、それぞれ以下のとおり記載されている。
引用例１（特開昭５９−２００６７４号公報）
「第１図はパチンコ機１の正面図であって、その遊戯盤２の中央に４個のセグメント方式の数値表示器（以下ＬＥＤという）３ａ〜３ｄが設けられている」（第２頁左上欄１３行〜同欄１６行）
「読出し専用メモリ（以下ＲＯＭという）１８は制御プログラムが記憶されている。読出し及び書替え可能なメモリ（以下ＲＡＭという）１９は各アドレスビットで構成され、動作プログラムを記憶するプログラム記憶領域（０００番地〜７０Ｆ番地）と第８図に示すように各種データを記憶するデータ記憶領域（８００番地〜ＢＦ１番地）とで構成されている。」（第２頁右下欄８行〜同欄１５行）
「制御回路１４は前記ＳＷ入力処理動作においてチャッカ入賞スイッチ１２からの検出信号ＳＧ２を検知し、・・・このコマンドデータに基づいて制御回路１４は第１０図に示すＬＥＤ回転処理動作を実行する。」（第６頁左下欄２行〜同欄９行）
引用例２（米国特許第４５１７６５４号明細書）
「本発明は、入力バスを介して入力データを受け取り、供給されるデータに応じて画像を形成する。典型的には、データがゲーム回路から供給される。図１に示すように、・・・ゲーム画像表示のデータはビデオ中央処理装置（ＣＰＵ）１０に供給される。」（第３欄５０行〜同欄５６行）
「ゲームコマンドと、ＥＰＲＯＭメモリの命令に応答して、ビデオＣＰＵは静止ランダムアクセスメモリ（ＲＡＭ）２４において静止画像を形成する。ビデオＣＰＵは、また、可動ＲＡＭ２５において動画を形成する。」（第４欄１行〜同欄６行）
「ビデオプロセッサはゲームプロセッサアドレスラインを含み、前記ラインによりビデオプロセッサはゲームプロセッサデータバスに接続される。データバスを介してデータはゲームプロセッサ（図示せず）からビデオプロセッサ１０で受け取られる。さらに、ビデオプロセッサはゲームプロセッサから割込信号を受け、これにより、ビデオプロセッサはデータプロセスサイクルの途中でゲームプロセッサコマンドに応答する。ビデオプロセッサはゲームプロセッサバスに、データ出力信号を与えて、ビデオプロセッサの状態を示す。ビデオプロセッサ名はゲームプロセッサからの指示を受けると、アドレスラッチ１２を介して、プログラムメモリ１９を読みとりに行く。プログラムメモリ１９には、ビデオプロセッサを操作し、ゲームプロセッサコマンドに応じて画像を形成する命令が記憶されている。」（第４欄６３行〜第５欄３行）　
引用例３（特開昭６２−６０５７７号公報）
「上記構成のパチンコ遊戯盤は、第３図に示すブロックダイアグラムの中央制御回路（３０）により発振分周回路（３１）の発信信号を基として、各検出部からの入力信号を入力回路（３２）から入力した情報によってＬＥＤ表示回路（３３）、ランプ・ソレノイド制御回路（３４）、効果音発生回路（３５）を駆動するとともに、（３６）は電源投入時リセット回路、（３７ａ）（３７ｂ）は電源回路であり、該中央制御回路は第４図に示す動作フローチャートのごとく制御動作する。」（第３頁右上欄４行〜１８行）
引用例４（特開昭６２−１４８７８号公報）
「アドレスレコーダ回路１１２からはアドレスデコード信号が与えられる。暴走防止回路１１４からは暴走防止信号が与えられる。暴走防止回路１１４は、マイクロコンピュータ９６の制御の暴走を、ハード面から防止するための回路である。パワーオンリセット回路１１６からは電源投入時のパワーオンリセット信号が与えられる。暴走リセット回路１１８からは暴走リセット信号が与えられる。」（第５頁右上欄６行〜１４行）
引用例５（特開昭５７−１３２２６０号公報）
「マイクロコンピュータ（ＭＰＵ）の応用が普及し、・・・ＭＰＵを複数ケ使用する。マルチマイクロコンピュータシステムは従来より広く提案されている。」（第１頁右下欄１７行〜第２頁左上欄３行）
「ＭＰｕ２は、ＭＰｕ１にタイミングに応じてハロゲンランプを点灯したり、ヒータの温度設定を変えたり、又はＯＮ，ＯＦＦする情報を伝送し、ＭＰｕ１はこれを受信して指令に応じた制御を行う。」（第７頁右下欄１９行〜第８頁３行）
引用例６（特願昭６１−２６０９６号（特開昭６２−１８３７８１号公報参照）の全文明細書又は図面））
「（４）第２のマイクロプロセッサは、特定入賞口への入賞に応じて、偶然性に左右される事象を生起させ、その事象から当たりモードを決定する処理を行うことを特徴とする特許請求の範囲１項記載のパチンコ機。」（特許請求の範囲第４項）
「第１のマイクロプロセッサは、例えば、ゲームの進行状態を制御する主処理に使用し、第２のマイクロプロセッサは、発音装置、発光装置、その他の出力装置を制御するための副処理に使用する。」（第２頁左下欄７行〜同欄１０行）
「特定入賞口に入賞した時は、当たりモードを決定する為に、３桁の数値の各桁の数値と、ランプ表示器２９の点燈ＬＥＤが、それぞれ異なる周期で回転し、それらが停止状態になった時の、組合せで当たりモードが決定され、」（第３頁左上欄１６行〜同欄２０行）
「１図は、本実施例装置の電気的な構成を示したブロックダイヤグラムである。ＭＰＵ１とＭＰＵ２は、それぞれ、内部ＲＯＭ、内部ＲＡＭを有している。また、外部には、・・・マルチプレクサ６を介してＲＡＭ５が接続されている。そして、それぞれのＣＰＵは、独自のプログラムに沿って、平行に駆動させることが可能である。」（第３頁右上欄１３行〜２０行）
「クロック発生回路１７は、４ＭＨｚのクロック信号をＭＰＵ１、ＭＰＵ２に出力すると共に、・・・２１は電源回路であり、起動スイッチ２３の信号は、リセット信号発生回路１９に入力し、その出力信号であるリセット信号は、ＭＰＵ１，ＭＰＵ２のリセット端子に入力しており、そのリセット信号により、初期プログラムが実行される。ＭＰＵ１の各出力ポートには、表示器駆動回路２５、表示器選択回路３１、ドライバ３９が接続されている。表示器駆動回路２５、表示器選択回路３１には、前述した数値表示器２７、ランプ表示器２９、記憶個数表示器３０が接続されている。」（第３頁左下欄９行〜同頁右下欄５行）
引用例７（米国特許第４３６３４８５号明細書）
「コンピュータシステム１２０は、・・・中央処理装置１２８を有している。・・・ＣＰＵ１２８のアドレスバスは第１のメモリチップ１３０と、第２のメモリチップ１３２に接続されている。・・・メモリチップ１３０，１３２は、図３，４，７，９に示すような、様々なソフトウエアのソフトウエアインプリメンテーションチンを記憶する。」（第５欄２３行〜同欄３４行）
「デジタル−アナログ変換機１４７は、ＲＯＭ−ＲＩＯＴ１４５を介してＣＰＵ１２８′によりコントロールされ、スピーカ及びアンプアッセンブリ１４８を制御する。」（第６欄２行〜同欄５行）
（対比・判断）
　ア．本件発明と、上記引用例１〜引用例５、引用例７の刊行物にそれぞれ記載された発明とを対比すると、これらの引用例刊行物に記載の発明は、本件発明を特定する事項である「表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段としての外部接続端子を介して前記表示制御回路に供給する」構成を備えておらず、また、これらを示唆する記載も認められない。本件発明は、上記構成を備えることにより、「メイン制御回路の負担を軽減させて表示装置における表示を高速化することができるばかりではなく、表示装置の表示制御回路の簡略化が可能となる」という顕著な効果を奏するものであるから、本件発明は、上記引用例刊行物記載の発明に基づいて当業者が容易に発明をすることができたものとすることはできない。
　イ．本件発明と、本件発明の出願の日前の他の出願であって、その出願後に出願公開された特願昭６１−２６０９６号（特開昭６２−１８３７８１号公報参照）の願書に最初に添付した明細書又は図面（以下、「先願明細書」という、引用例６）とを対比すると、先願明細書（引用例６）の上記記載事項からみて、クロック発生回路１７およびリセット発生回路１９からの出力信号を受けて、ＭＰＵ１は、表示器駆動回路２５、表示器選択回路３１、ドライバ３９へ信号を出力して遊技の制御を行うものであり、ＭＰＵ１、表示器駆動回路２５、表示器選択回路３１およびドライバ３９が本件発明のメイン制御回路に相当する。
　したがって、先願明細書には、本件発明を特定する事項である「表示装置を制御するための表示制御回路に必要な回路機能の一部を、遊技の制御を行うためのメイン制御回路に分割形成すると共に、このメイン制御回路に分割された分割回路により達成される回路機能を、電気的接続手段としての外部接続端子を介して前記表示制御回路に供給する」構成を備えておらず、また、この構成を示唆する記載も認められない。
　したがって、本件発明は、先願明細書に記載された発明と同一であると認められない。
　以上のとおりであるから、本件発明は、特許出願の際特許を受けることができるものである。
（４）むすび
　以上のとおりであるから、上記訂正は特許法第１２０条の４第２項及び第３項において準用する特許法第１２６条第２−４項の規定に適合するので、当該訂正を認める。
３．特許異議申立てについての判断
ア．本件発明
　本件発明は、訂正明細書の請求項１に記載される事項により特定されるとおりのものである（２．（３）を参照）。
ア．申立ての理由の概要
　申立人は、甲第１号証（特開昭５９−２００６７４号公報）、甲第２号証（米国特許第４５１７６５４号明細書）、甲第３号証（特開昭６２−６０５７７号公報）、甲第４号証（特開昭６２−１４８７８号公報）、甲第５号証（特開昭５７−１３２２６０号公報）、甲第６号証（特開昭６２−１８３７８１号公報）および甲第７号証（米国特許第４３６３４８５明細書）を提出して、本件特許発明は、甲第１号証乃至甲第５号に記載された発明に基づいて、当業者が容易に発明をすることができたものであるから、特許法第２９条第２項の規定に該当し、さらに甲第６号証に記載されたものと同一であって発明者または出願人が異なるものであり特許法第２９条の２の規定により特許を受けることができないものであり、特許法第２９条の２第１項の規定により特許を受けることができないので、特許法第１１３条第１項第２号の規定により取り消すべき旨主張している。
イ．判断
　上記甲第１号証乃至甲第７号証は、取消理由で引用した引用例１乃至引用例７と同一のものであることから、本件発明と、甲第１号証乃至甲第７号証に記載された発明との対比・判断は、２．（３）．（対比・判断）ア．およびイ．で示したとおりのものと同じである。
　したがって、異議申立人の主張は採用できない。
４．むすび
　以上のとおりであるから、特許異議申立ての理由および証拠によっては、本件発明の特許を取り消すことはできない。
　また、他に本件発明の特許を取り消すべき理由を発見しない。
　したがって、本件発明についての特許は拒絶の査定をしなければならない特許出願に対してされたものとは認めない。　
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、上記のとおり決定する。
【異議決定日】
平成１２年６月７日（２０００．６．７）
【訂正の要旨】
（１）訂正の要旨
訂正事項ａ
　特許請求の範囲に係る記載、
「【請求項１】プログラムを記憶したＲＯＭを備えてマイクロコンビュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段を介して前記表示制御回路に供給するように構成したことを特徴とするパチンコ機。
　【請求項２】請求項１に記載のパチンコ機において、回路機能がパワーオンリセット信号であることを特徴とするパチンコ機。
　【請求項３】請求項１に記載のパチンコ機において、回路機能がインターバル割込信号であることを特徴とするパチンコ機。
　【請求項４】請求項１に記載のパチンコ機において、回路機能が電源であることを特徴とするパチンコ機。
　【請求項５】請求項１に記載のパチンコ機において、回路機能が表示制御データであることを特徴とするパチンコ機。
　【請求項６】請求項１に記載のパチンコ機において、パワーオンリセット信号、インターバル割込信号、電源、または表示制御データの少なくとも一つをメイン制御回路と表示制御回路とで共通使用することを特徴とするパチンコ機。」
を、
「【請求項１】プログラムを記憶したＲＯＭを備えてマイクロコンビュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段としての外部接続端子を介して前記表示制御回路に供給するように構成したことを特徴とするパチンコ機。
　【請求項２】請求項１に記載のパチンコ機において、回路機能がパワーオンリセット信号であることを特徴とするパチンコ機。
　【請求項３】請求項１に記載のパチンコ機において、回路機能がインターバル割込信号であることを特徴とするパチンコ機。
　【請求項４】請求項１に記載のパチンコ機において、回路機能が電源であることを特徴とするパチンコ機。
　【請求項５】請求項１に記載のパチンコ機において、回路機能が表示制御データであることを特徴とするパチンコ機。
　【請求項６】請求項１に記載のパチンコ機において、パワーオンリセット信号、インターバル割込信号、電源、または表示制御データの少なくとも一つをメイン制御回路と表示制御回路とで共通使用することを特徴とするパチンコ機。」
と訂正する。
訂正事項ｂ
　明細書の【０００４】の項、
　「【課題を解決するための手段】
　上記目的を達成するため本発明は、プログラムを記憶したＲＯＭを備えてマイクロコンピュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段を介して前記表示制御回路に供給するように構成したものである。」を、
「【課題を解決するための手段】
　上記目的を達成するため本発明は、プログラムを記憶したＲＯＭを備えてマイクロコンピュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段としての外部接続端子を介して前記表示制御回路に供給するように構成したものである。」
と訂正する。
訂正事項ｃ
　明細書の【００２２】の項、
「【発明の効果】
　本発明は表示装置を制御するための表示制御回路に必、要な回路機能の一部を、遊技の制御を行うためのメイン制御回路に分割形成すると共に、このメイン制御回路に分割形成された分割回路により達成される回路機能を、電気的接続手段を介して前記表示制御回路に供給するように構成したので、メイン制御回路の負担を軽減させて表示装置における表示を高速化することができるばかりではなく、表示装置の表示制御回路の簡略化が可能になって、表示装置のコンパクト化が可能である。」を、
「【発明の効果】
　本発明は表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段としての外部接続端子を介して前記表示制御回路に供給するように構成したので、メイン制御回路の負担を軽減させて表示装置における表示を高速化することができるばかりではなく、表示装置の表示制御回路の簡略化が可能になって、表示装置のコンパクト化が可能である。」と訂正する。
（５４）【発明の名称】
パチンコ機
（５７）【特許請求の範囲】
　【請求項１】　プログラムを記憶したＲＯＭを備えてマイクロコンピュータによって制御されるパチンコ機において、
　表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段
としての外部接続端子
　【請求項２】　請求項１に記載のパチンコ機において、回路機能がパワーオンリセット信号であることを特徴とするパチンコ機。
　【請求項３】　請求項１に記載のパチンコ機において、回路機能がインターバル割込信号であることを特徴とするパチンコ機。
　【請求項４】　請求項１に記載のパチンコ機において、回路機能が電源であることを特徴とするパチンコ機。
　【請求項５】　請求項１に記載のパチンコ機において、回路機能が表示制御データであることを特徴とするパチンコ機。
　【請求項６】　請求項１に記載のパチンコ機において、パワーオンリセット信号、インターバル割込信号、電源、または表示制御データの少なくとも一つをメイン制御回路と表示制御回路とで共通使用することを特徴とするパチンコ機。
【発明の詳細な説明】
　【０００１】
　【発明の属する技術分野】
　この発明は、表示装置に各種図柄や文字などの表示態様を表示することのできるパチンコ機に関するものである。
　【０００２】
　【従来の技術】
　周知のように、パチンコ機には、遊技者に遊技状態を可視表示するためや装飾のために多くの表示装置が設けてある。従来の表示装置としては、例えば７セグメントの発光ダイオードの発光部位の組合せにより数字または英文字を表示態様として表示するいわゆるデジタル表示器があり、また回転ドラムの外面に複数の図柄や文字などを描き、表示窓に上記図柄などの一つを臨ませ、上記ドラムの回転により図柄などの表示態様を変化させる回転ドラム表示器などがある。更に、表示素子として発光ダイオードを縦横例えば５×７個配設し、発光部位を選択して表示するマトリクス表示器がある。
　そして、上記デジタル表示器や回転ドラム表示器あるいはマトリクス表示器を複数個連設して各表示を組合せるようにしたものもある。
　【０００３】
　【発明が解決しようとする課題】
　ところで、従来の表示装置は、マイクロコンピュータを備える制御装置によって表示する表示態様を制御している。しかし、従来の制御装置は、表示装置の表示素子を制御すると共に、センター役物等に設けた継続スイッチや１０カウントスイッチ、始動口スイッチ、駆動ソレノイド、或は効果音や表示灯などのパチンコ機全般に亙る制御を行わなければならず、マイクロコンピュータの作業容量は限界に近付いており、複雑な表示態様の表示や高速な処理を実行できない現状にあった。
　また、表示装置を含めて一つの制御装置で行うと、制御装置が大型化して取り扱いが面倒になると共に、配線が複雑となり、複雑化した配線が他の部品の邪魔になる。しかも、パチンコ機では一般にセンター役物が後方へ突出しているため、制御装置が大型化すると取付スペースの自由度が小さくなってしまい取付が困難である。
　更に、表示装置の制御に関する部分に故障や変更が生じた場合でも、制御装置全体を交換しなければならない。一方、遊技の制御に関する部分に故障や変更が生じた場合には、表示装置に関する部分も含めて交換しなければならない。従って、無駄が多く、コストが嵩んでいる。
　しかも、大型化した制御装置を交換する際に、他の電子部品を損傷したり断線等の事故が発生し易く、交換作業に伴う配線の切り離し、接続が煩雑であった。
　一方、パチンコ機本体の制御を行うマイクロコンピュータを搭載した制御装置と、表示制御を行うマイクロコンピュータを搭載した表示用制御装置を分割形成するよう構成し、特に表示用制御装置と表示素子とを一体化した表示ユニットをセンター役物として採用することも試みられているが、このように形成したときには別の問題が生じる。
　即ち、センター役物は、ゲージ盤のほゞ中央に位置するが、その取り付けスペースには他の役物を配置できない等の制約が発生するため、大型の表示は行ないたいものの、最小の取付スペースにしたいとの要求が発生していた。
　本発明は上記に鑑み提案されたもので、メインＭＰＵとサブＭＰＵとを備えるパチンコ機において、表示制御回路の回路機能の一部をメイン制御回路に形成してコンパクト化した表示装置を備えるパチンコ機を提供することを目的とする。
　【０００４】
　【課題を解決するための手段】
　上記目的を達成するため本発明は、プログラムを記憶したＲＯＭを備えてマイクロコンピュータによって制御されるパチンコ機において、表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段
としての外部接続端子
　【０００５】
　【発明の実施の形態】
　以下、本発明を図面に示した実施の形態について説明する。本発明における表示装置１は、第１基板２と第２基板３とを有し、第１基板２の前面には表示基板４を添設し、第２基板３にはサブマイクロコンピュータユニット（以下、サブＭＣＵと略記する。）５を有する表示処理部６を形成する。この表示処理部６は、表示装置１を制御するために必要な回路機能を備えた表示制御回路である。
　【０００６】
　第１基板２の前後表面にはプリント配線を適宜施すと共に、後面にはトランジスタ、抵抗などのチップ素子７…を配設して電気回路（主としてドライブ回路）を形成し、周縁部には例えば雄型コネクタ８を配置する。
　【０００７】
　表示基板４は、例えば２０×２０ｍｍ程度の基板であって、この表示基板４の表面に縦横１０×１０個のレンズ部を備えない裸のＬＥＤ素子９を配列する。尚、図１の実施の形態では表示基板４の前面に透光性のあるカバー部材１０を被着している。また、このカバー部材１０に着色することもできる。
　【０００８】
　一方、第２基板３の前後面にはチップ素子７及びサブＭＣＵ５や水晶発振子１１などを配設して表示制御回路を形成し、周縁には雌型コネクタ１２を配置し、この雌型コネクタ１２と前記第１基板２の雄型コネクタ８とを接続する。尚、図面の実施の形態によれば、第１基板２と第２基板３とを背中合せに両コネクタ８、１２を接合し、支柱１３を介して固定するようになっているが、ケーブルを介して接続するようにしてもよい。
　【０００９】
　また、第２基板３の一縁には外部接続端子１４を設けて、この外部接続端子１４を介してパチンコ機１５のメイン制御回路となる制御装置１６に接続可能とする。即ち、前記表示制御回路とメイン制御回路とを電気的接続手段を介して接続する。
　【００１０】
　上記のような表示装置１は、表示処理部６を含めて例えば９０×４５×２５ｍｍ以内に構成でき、一つの表示基板４について１０×１０ドットの図柄表示が可能である。
　【００１１】
　一方、本発明において、表示装置１は、例えば図４のブロック回路にて示すようにメインマイクロコンピュータユニット（以下、メインＭＣＵと略記する）１７を中心にして、ＰＲＯＭ、入出力制御装置、並びにクロック回路、分周回路及びリセット回路などから構成される制御装置１６によって制御される。そして、本発明では、表示装置１にサブＭＣＵ５を有する表示処理部６を形成して、制御装置１６のメインＭＣＵ１７の負担を軽減させると共に、表示装置１を制御するための表示制御回路に必要な回路機能の一部をメイン制御回路に分割形成する。例えば、図示の実施の形態では、メイン制御回路に形成した電源リセットよりパワーオンリセット信号を表示装置１に設けた表示処理部６のサブＭＣＵ５に供給して表示制御回路における回路機能を達成している。このとき、上記パワーオンリセット信号は、メイン制御回路と表制御回路とで共通に使用している。また、メイン制御回路である制御装置１６には、インターバル割込信号や表示制御データ、或は電源を表示制御回路へ供給するための回路が分割形成してある。
　【００１２】
　そして、メインＭＣＵ１７にはセンター役物１８などに設けた継続スイッチ１９、１０カウントスイッチ２０、始動口スイッチ２１、駆動ソレノイド２２、あるいは電子音発生回路２３、ランプ表示器２４などの制御を受け持たせる。一方、表示装置１に設けた表示処理部６のサブＭＣＵ５には制御装置１６から受信するデータ及びリセット信号に基づいて、表示基板４に配列した各ＬＥＤ素子９の制御を受け持たせて、表示装置１に所定の図柄、文字などの表示態様を表示させるのである。
　【００１３】
　尚、本実施の形態では、ノイズによる暴走を防ぐためにリアルタイムリセット方式を採用し、タイマ回路を省略してメインＭＣＵ１７からリセット信号を受け取り、８ビットデータを４ビットに分割して２度転送することにより接続本数を減少している。また、本実施の形態によれば、データ４本、電源２本、リセット１本、割込１本、制御信号（８ビットの上下、明暗、桁選択）３本の計１１本の配線で足りるが、従来のようにメインＭＣＵ１７に頼る場合には少なくとも４０本の配線が必要である。また、表示装置１の各ＬＥＤ素子９をメインＭＣＵ１７で制御する場合には処理時間が長くなって表示がチラ付いて見難いものになってしまう。
　【００１４】
　表示装置１に設けた表示制御回路としての表示処理部６では図５のフローチャートに示すように、Ｉ／Ｏポートを初期化し、リセット信号をパワーオンによるリセットか割込によるリセットかを判定し、ラム（ＲＡＭ）を初期化し、ノンマスカブルイントラプト（ＮＭＩ）により入力された上下４ビットデータを８ビットデータに変換し、フリーランニングカウンタをリセットし、上記８ビットデータを図柄データに変換して、各ポートに明暗情報として出力し、各表示基板４のＬＥＤ行をスキャンするためのデータを更新し、例えば横行を１０回スキャンし、フリーランニングカウンタが８１９より大きい時はジャンプさせて１回の発光時間を８１９μＳとする。一方、ＮＭＩでは割込データを対応するメモリに格納して復帰する。
　【００１５】
　尚、ＬＥＤスキャン処理を上の行から順番に行なわず、例えば、上段から１−３−５−７−９−２−４−６−８−１０と交互に表示すれば、遊技者の目の残像現象により全体の図柄が見易くなる。
　【００１６】
　図６ないし図７は上記のような表示装置を組み込んだセンター役物１８の一例である。
　【００１７】
　センター役物１８は、取付板２５の中程に横に並ぶ３つの表示窓２６を有し、各表示窓２６には前記表示基板４が臨む。表示窓２６と表示基板４との間には、表示基板４側を縮径させた遮蔽板２７を上記取付板２５から連続して設ける。尚、上記センター役物１８の表示窓２６の上側には、天入賞口２８及び天下入賞口２９を設け、該天入賞口２８及び天下入賞口２９の前面に透光性のある化粧板３０を添設し、該化粧板３０の裏側にはランプ基板３１に取付けたランプ３２を臨ませる。また、上記各入賞口２８、２９には球通路３３、３４を夫々連設する。
　【００１８】
　表示窓２６の下側には、発光ダイオードからなる１０カウント表示部３５、継続球表示部３６、記憶個数表示部３７を設ける。
　【００１９】
　上記のようなセンター役物１８を配設したパチンコ機１５における遊技の一例は、遊技者が発射装置３８で弾発した打球が遊技盤１５′に設けた始動口３９に入賞し、始動口スイッチ２１をオンして特別遊技が開始し、センター役物１８で表示する図柄が高速で変換し、遊技者がタッチスイッチ４０を操作して変換を停止したときの図柄の組み合せにより大入賞口４１を開放する。このように、特別遊技の表示に本発明における表示装置１を使用すれば、制御装置１６のメインＭＣＵ１７の負担が軽減されて高速処理が可能になり、従来の表示器に比べきめ細かな表示が可能になると共に配線や制御が簡単になる。
　【００２０】
　また、本発明によれば、表示装置をメイン制御回路からの制御信号及びデータに基づいて表示制御回路によって制御するので、表示装置で表示する図柄をちらつきなく流動的に表示することが容易であって、従来にない新鮮な表示が可能となる。
　【００２１】
　以上、本発明を図示の実施の形態について説明したが、本発明は上記した実施の形態に限定されるものではなく、特許請求の範囲に記載の構成を変更しない限り適宜実施できる。例えば、表示素子としてＬＥＤの他にランプや液晶等を使用することできる。また、表示装置に「打止め」や「大当り」などの文字を表示させることもできる。一方、回路機能を追加したり、共用することも容易である。
　【００２２】
　【発明の効果】
　本発明は表示装置を制御するための表示制御回路に必要な回路機能の一部を、遊技の制御を行うためのメイン制御回路に分割形成すると共に、このメイン制御回路に分割形成された分割回路により達成される回路機能を、電気的接続手段
としての外部接続端子
【図面の簡単な説明】
　【図１】
　前面側から見た表示装置の分解斜視図である。
　【図２】
　後面側から見た表示装置の分解斜視図である。
　【図３】
　表示装置に設けた回路のブロック図である。
　【図４】
　制御装置のブロック図である。
　【図５】
　表示処理部におけるフローチャートである。
　【図６】
　表示装置を設けたセンター役物の正面図である。
　【図７】
　表示装置を設けたセンター役物の縦断面図である。
　【図８】
　表示装置を設けたセンター役物を配設した遊技盤の正面図である。
　【図９】
　パチンコ機の背面図である。
　【符号の説明】
　１　表示装置
　５　サブＭＣＵ
　６　表示制御回路からなる表示処理部
　９　表示素子
１５　パチンコ機
１６　メイン制御回路からなる制御装置
１７　メインＭＣＵ